(57)【要約】【課題】装着安定性および長期持続性に優れ、また、自まつ毛に対し上下面および側面からも装着できて美容効果を向上させることが可能なまつ毛エクステンション用人工毛と、まつ毛エクステンションの施術方法を提供する。【解決手段】根元部１２から先端部１３に向けて細長く延びる人工毛本体１１を備え、根元部１２に延長方向に延びる切込み１４，１５を設けて根元部１２を上下方向または左右方向に細分化する。細分化された根元部１２を接着剤３０を介して自まつ毛２０に装着する。【選択図】図１
2019065429.tif 000002
【特許請求の範囲】
【請求項１】
根元部から先端部に向けて細長く延びる人工毛本体を備え、当該人工毛本体の前記根元部に延長方向に延びる切込みが設けられていることを特徴とするまつ毛エクステンション用人工毛。
【請求項２】
前記切込みにより、前記根元部が上下方向または左右方向に細分化されていることを特徴とする請求項１記載のまつ毛エクステンション用人工毛。
【請求項３】
前記切込みにより、前記根元部が上下方向および左右方向に細分化されていることを特徴とする請求項１又は請求項２記載のまつ毛エクステンション用人工毛。
【請求項４】
前記切込みにより、前記根元部が上下方向および左右方向に細分化された多数本の装着片から構成されていることを特徴とする請求項１ないし請求項３のいずれか一項に記載のまつ毛エクステンション用人工毛。
【請求項５】
根元部から先端部に向けて細長く延びるとともに、根元部に延長方向に延びる切込みが設けられている人工毛を準備する工程と、
前記人工毛の根元部に、切込みを含めて接着剤を塗布する工程と、
接着剤を塗布した根元部を自まつ毛の表面に圧着しかつ自まつ毛の表面に沿って変形させながら、人工毛を自まつ毛に装着する工程と、
を備えることを特徴とするまつ毛エクステンションの施術方法。
【請求項６】
人工毛を自まつ毛に装着する工程が、接着剤を塗布した根元部の切込みを開いて、切込みにより細分化された個々の装着片のうち、多数本の装着片を自まつ毛に装着させることを特徴とする請求項５記載のまつ毛エクステンションの施術方法。
【発明の詳細な説明】
【技術分野】
【０００１】
本発明は、まつ毛エクステンション用人工毛の構造と、同人工毛を用いたまつ毛エクステンションの施術方法に関する。
【背景技術】
【０００２】
まつ毛エクステンションは、自まつ毛にグルーと呼ばれる接着剤を用いて人工毛を装着する技術であり、短いまつ毛を長く見せたり、細いまつ毛を濃く見せたりする美容効果を発揮する。実際の施術においては、１本の自まつ毛に１本の人工毛（場合によっては複数本の人工毛）を、両方の目で数十本ないし百本以上装着する細かい作業が行われる。
【０００３】
まつ毛エクステンションに用いられる人工毛は、化学繊維等からなり、根元から先端に向けて細長くカール状に延びているのが通常である。また、同人工毛の断面形状は自まつ毛と同様に通常円形断面を呈しているが、接着性を高めるために、人工毛の根元部表面をザラザラにしたもの（特許文献１）、人工毛の根元部を円弧状の断面形状にしたもの（特許文献２）、人工毛の根元部断面を瓢箪状の断面形状にしたもの（特許文献３）などが提案されている。
【先行技術文献】
【特許文献】
【０００４】
【特許文献１】実用新案登録第３１７０２８５号公報
【特許文献２】特開２０１０−２４５７９号公報
【特許文献３】特許第６１３０５７１号公報
【発明の概要】
【発明が解決しようとする課題】
【０００５】
しかしながら、従来一般のまつ毛エクステンションの施術において、一般的な円形断面の人工毛は、円形断面の自まつ毛の上に接着剤により人工毛を載せて装着するため、接着面積が小さく、装着安定性に欠け、長期持続性に欠けるという課題がある。特許文献１の人工毛は、接着性は向上するが、円形断面であることに変わりなく、装着安定性、長期持続性の効果が限定的である。特許文献２の人工毛や特許文献３の人工毛は、接着面積が大きくなり、接着性はより向上するが、それらの人工毛を自まつ毛の側面または両側に装着しようとすると、人工まつ毛のカールする方向が自まつ毛のカール方向と異なることとなり、美的効果の面からも結局はいずれの人工毛も自まつ毛の上面または下面に装着するにとどまっている。
【０００６】
本発明は、本発明者の長年の施術経験よりなされたもので、装着安定性および長期持続性に優れ、また、自まつ毛に対し上下および側面のいずれからも装着できて美容効果を向上させることが可能なまつ毛エクステンション用人工毛と、同人工毛を用いたまつ毛エクステンションの施術方法を提供することを目的とする。
【課題を解決するための手段】
【０００７】
上記課題を解決するために、本発明に係るまつ毛エクステンション用人工毛は、
根元部から先端部に向けて細長く延びる人工毛本体を備え、当該人工毛本体の前記根元部に延長方向に延びる切込みが設けられていることを主要な特徴とする。
【０００８】
本発明に係るまつ毛エクステンション用人工毛は、前記切込みにより、前記根元部が上下方向または左右方向に細分化されていることを第２の特徴とする。
【０００９】
本発明に係るまつ毛エクステンション用人工毛は、前記切込みにより、前記根元部が上下方向および左右方向に細分化されていることを第３の特徴とする。
【００１０】
本発明に係るまつ毛用エクステンション用人工毛は、前記切込みにより、前記根元部が上下方向および左右方向に細分化された多数本の装着片から構成されていることを第４の特徴とする。
【００１１】
本発明に係るまつ毛エクステンションの施術方法は、
根元部から先端部に向けて細長く延びるとともに、根元部に延長方向に延びる切込みが設けられている人工毛を準備する工程と、
前記人工毛の根元部に、切込みを含めて接着剤を塗布する工程と、
接着剤を塗布した根元部を自まつ毛の表面に圧着しかつ自まつ毛の表面に沿って変形させながら、人工毛を自まつ毛に装着する工程と、
を備えることを特徴とする。
【００１２】
本発明に係るまつ毛エクステンションの施術方法は、
人工毛を自まつ毛に装着する工程が、接着剤を塗布した根元部の切込みを開いて、切込みにより細分化された個々の装着片のうち、多数本の装着片を自まつ毛に装着させることを第２の特徴とする。
【発明の効果】
【００１３】
以上説明したように、本発明によれば、まつ毛エクステンション用の人工毛の根元部に延長方向に延びる切込みを設けたので、根元部に接着剤を塗布して軽く圧を加えながら、人工毛の根元部を自まつ毛に圧着することにより、人工毛の根元部を開いて変形させながら自まつ毛の表面を包むように人工毛を自まつ毛に装着することができ、装着安定性と装着持続性に優れ、美容効果に優れるという効果を奏する。
【００１４】
また、本発明によると、人工毛を自まつ毛の上下面だけでなく左右側面にカール方向を揃えながら装着でき、美的効果を向上させるとともに、左右側面に装着した後の装着安定性と持続性に優れるという効果を奏する。
【図面の簡単な説明】
【００１５】
【図１】本発明に係る人工毛を示す全体図で、（Ａ）は側面図、（Ｂ）は平面図、（Ｃ）は正面図、
【図２】図１に示す人工毛の根元部に軽く圧を加えて根元部を端面から開くように変形させた様子を示す断面図、
【図３】図１に示す人工毛を接着剤を介して自まつ毛に装着した状態を示す端面図、
【図４】根元部への切込みの他の例を示すもので、（Ａ）は横向きの切込みを１本、縦向きの切込みを２本設けた例、（Ｂ）は横向きの切込みを１本設けた例、（Ｃ）は縦向きの切込みを１本設けた例、（Ｄ）は根元部を多数本の微細毛片で構成した例、
【図５】人工毛を自まつ毛に装着する手順を示すもので、（Ａ）は人工毛の根元部に接着剤を塗布する工程、（Ｂ）は人工毛の根元部を自まつ毛に仮置きする工程、（Ｃ）は人工毛の根元部に軽く圧を加えて開くように変形させ、自まつ毛に装着する工程を示す説明図である。
【発明を実施するための最良の形態】
【００１６】
本発明を実施するための一実施形態を、図面を参照しながら説明する。これらの図において、符号１０は本発明に係る人工毛、符号２０は自まつ毛を示している。
【００１７】
まず、人工毛１０について説明すると、人工毛１０は、まつ毛エクステンションに用いるもので、図１（Ａ）および図１（Ｂ）に示すように、人工毛本体１１の根元部１２から先端部１３に向けて細長くかつカール状（Ｃ字形状、Ｊ字形状など）に延びる形状をしている。人工毛１０の寸法は、本実施形態の場合、根元部１２の端面から先端部１３の先端までの全長が５ｍｍから１５ｍｍ、根元部１２の範囲の長さが人工毛１０の全長の約１／３（２ｍｍから５ｍｍ）、根元部１２の端面の直径が０．０５ｍｍから０．２５ｍｍである。人工毛１０の材料は化学繊維などからなる。
【００１８】
人工毛１０の根元部１２には、図１（Ａ）乃至図１（Ｃ）に示すように、端面から延長方向に根元部１２全体（長さＬ）に延びる複数本の切込み１４，１５が設けられている。切込み１４は横向きで根元部１２を上下方向に細分化する。切込み１５は縦向きで根元部１２を左右方向に細分化する。根元部１２に設けられた切込み１４，１５により、根元部１２を縦方向に軽く圧着（圧縮）すると、図２に示すように、根元部１２が端面から横方向に開くように変形する。また、図示しないが、根元部１２を横方向に軽く圧着（圧縮）すると、根元部１２が端面から縦方向に開くように変形する。そして、根元部１２に接着剤３０を塗布して、自まつ毛２０に軽く圧着すると、図３に示すように、切込み１４，１５が開いて細分化された各片が、自まつ毛２０の表面を包むように密着し、接着剤３０により自まつ毛２０の表面に装着される。すなわち、細分化された各片は装着片１６として機能する。
【００１９】
人工毛１０の根元部１２に設けられる切込み１４，１５は複数本でも１本でもよい。図４（Ａ）は根元部１２に横向きの切込み１４を１本、縦向きの切込み１５を２本設けた例で、図４（Ｂ）は横向きの切込み１４を１本設けた例、図４（Ｃ）は縦向きの切込み１５を１本設けた例である。根元部１２を細分化するにあたり、図４（Ｄ）に示すように、多数の微細毛片１７を束ねて構成してもよい。
【００２０】
上記構成の人工毛１０は、以下のようにして自まつ毛２０に装着される。  
【００２１】
まず、施術者が人工毛１０を準備する。人工毛１０の根元部１２への切込み１４，１５は、例えば人工毛１０の製造工程でミクロン単位の刃先を持つ切断機に多数本の人工毛１０の根元部１２を揃えて並べ、各根元部１２を延長方向に縦割りなどして設ける。
【００２２】
次に、施術者が人工毛１０の根元部１２の全体に、図５（Ａ）に示すように、切込み１４，１５を含めエクステンション用の接着剤３０を塗布し、次いで、接着剤３０を塗布した人工毛１０を、施術者がピンセット等で把持して、図５（Ｂ）に示すように、仰向け姿勢の被施術者の自まつ毛２０の所定位置に仮置きし、図５（Ｃ）に示すように、根元部１２に軽く圧力Ｐをかけながら、被施術者の自まつ毛２０に装着する。
【００２３】
人工毛１０の根元部１２に軽く上から圧力Ｐをかけると、根元部１２に多数本の切込み１４，１５が設けられているので、図２に示すように、根元部１２が端面から左右（横方向）に大きく広がり、その状態で、図３に示すように、自まつ毛２０の表面を上から左右側方に包むように変形させ、これにより、接着剤３０を介して人工毛１０の根元部１２が自まつ毛２０にしっかりと装着される。
【００２４】
根元部１２は細分化された多数の装着片１６が接着剤３０により自まつ毛２０の表面に貼付けられ、従来の同一断面積の人工毛に比べ、接着面積が非常に大きくなる。また、図３に示すように、装着片１６どうしは接着剤３０により一体化されており、しかも、自まつ毛２０に貼り付けられた装着片１６は一部が外れたとしても残りの装着片１６が接着剤３０によりしっかりと貼り付いたままなので、接着の持続性が大きく向上する。
【００２５】
本実施形態の人工毛１０は、自まつ毛２０の上側への装着だけでなく、下側および側面への接着にも好適である。図３の例は自まつ毛２０の上側への装着例であるが、上側への装着と同様に、人工毛２０の根元部１２に、切込み１４，１５を含め接着剤３０を塗布し、次いで施術者がピンセット等で接着剤３０を塗布した人工毛１０を把持して下から根元部１２に軽く圧をかけながら、被施術者の自まつ毛２０に下側から装着する。  
【００２６】
この場合も、根元部１２に多数本の切込み１４，１４が設けられているので、根元部１２が左右側方に広がるとともに自まつ毛２０の表面を下から左右に包むように変形し、接着剤３０を介して人工毛１０の根元部１２が自まつ毛２０にしっかりと装着される。
【００２７】
人工毛１０を自まつ毛２０の側面へ装着する場合も、上記と同様に、人工毛２０の根元部１２に、切込み１４，１５を含め接着剤３０を塗布し、次いで施術者がピンセット等で接着剤３０を塗布した人工毛１０を把持して側方から根元部１２に軽く圧をかけながら、被施術者の自まつ毛２０に側方から装着する。  
【００２８】
この場合も、根元部１２に多数本の切込み１４，１４が設けられているので、根元部１２が上下に広がるとともに自まつ毛２０の表面を横から上下に包むように変形し、接着剤３０を介して人工毛１０の根元部１２が、自まつ毛２０の側面に対してもしっかりと装着される。そして、人工毛１０のカール方向は自まつ毛２０のカール方向に揃えることができるから、細いまつ毛を濃くかつ美しくみせて美容効果を上げることができる。
【００２９】
本実施形態の人工毛１０は、切込み１４，１５により根元部１２が左右方向にも上下方向にも細分化されて、変形自由度が高く、軽く圧を加えて接着剤３０により自まつ毛２０を包み込むように装着することができ、よって自まつ毛２０の太さに左右されず、太い自まつ毛にも細い自まつ毛にも対応することができる。
【００３０】
本発明によると、自まつ毛に対し上下面および側面のどこからも人工毛を装着することができ、しかも、装着安定性および長期持続性に優れ、美容効果を向上させることが可能なまつ毛エクステンション用人工毛とその装着方法を実現することができた。
【産業上の利用可能性】
【００３１】
本発明は、まつ毛エクステンション用の人工毛として、また人工毛を用いたまつ毛エクステンションの施術方法として、利用可能である。
【符号の説明】
【００３２】
１０  人工毛
１１  人工毛本体
１２  根元部
１３  先端部
１４，１５  切込み
１６  装着片
１７  微細毛片
２０  自まつ毛
３０  接着剤
【図１】
2019065429.tif 000003
【図２】
2019065429.tif 000004
【図３】
2019065429.tif 000005
【図４】
2019065429.tif 000006
【図５】
2019065429.tif 000007